【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
ストレージチャンバーおよび前記ストレージチャンバーと連通する受容口を有する受容部と、前記受容口を閉じるための気密性封止部とを備える再密閉可能な袋であって、前記受容部が、熱可塑性ウェブ材料で形成された第１の壁部および第２の壁部と、前記第１の壁部および前記第２の壁部のそれぞれの第１の縁部分を含む第１の側部シールと、前記第１壁部の上縁部から底縁部に延びる前記第１の側部シールおよび前記第２の側部シールと、ウェブ材料の間の介在層なしに第１壁部および第２壁部の向かい合った部分が互いに封止される複数のシールと、前記底縁部に隣接する前記受容部の底部部分にわたって設けられる多数の圧潰可能なチャネルの形成と、を備え、各チャネルが、前記ストレージチャンバーと流体連通するそれぞれの吸気口と、前記袋の外部の空間と流体連通するそれぞれの排気口とを有し、前記排気口は、前記底縁部に隣接して開き、前記複数のシールは、第１から第４のシールを備え、前記複数のチャネルは、第１から第４のチャネルを備え、前記第１のチャネルは、前記第１のシールと前記第１の側部シールの一部分によって規定され、前記第２のチャネルは、前記第１のシールと前記第２のシールによって規定され、前記第３のチャネルは、前記第３のシールと前記第２の側部シールの一部分によって規定され、前記第４のチャネルは、前記第３のシールと前記第４のシールによって規定される、再密閉可能な袋。
【請求項２】
前記チャネルが直線ではない、請求項１に記載の再密閉可能な袋。
【請求項３】
前記チャネルの各々が、ジグザグ形状または波形状を有する、請求項２に記載の再密閉可能な袋。
【請求項４】
前記チャネルの各々が、丸みを帯びた頂点を備えるＷ形状を有する、請求項２に記載の再密閉可能な袋。
【請求項５】
前記チャネルの各々が、前記第１の壁部および前記第２の壁部のそれぞれの一部分によって少なくとも部分的に境界を規定される、請求項１に記載の再密閉可能な袋。
【請求項６】
ストレージチャンバーおよび前記ストレージチャンバーと連通する受容口を有する受容部と、前記受容口を閉じるための気密性封止部とを備える再密閉可能な袋であって、前記受容部が、熱可塑性ウェブ材料で形成された第１の壁部および第２の壁部と、前記第１の壁部および前記第２の壁部のそれぞれの第１の縁部分を含む第１の側部シールと、前記第１の壁部および前記第２の壁部のそれぞれの第２の縁部分を含む第２の側部シールと、前記第１壁部の上縁部から底縁部に延びる前記第１の側部シールおよび前記第２の側部シールと、ウェブ材料の間に介在層なしに第１壁部および第２壁部の向かい合った部分が互いに封止される複数のシールと、前記第１の側部シールから前記第２の側部シールまで延びる領域内に配列され、前記第１の壁部および前記第２の壁部の底縁部に対して平行であり、前記複数のシールのうちの隣接するシールが、複数の圧潰可能なチャネルを形成するために離間しており、前記チャネルの各々が、前記ストレージチャンバーと前記吸気口との間の第１の壁部と第２の壁部に封止されることなく前記ストレージチャンバーと流体連通するそれぞれの吸気口と、前記袋の外部の空間と流体連通するそれぞれの排気口とを有し、前記第１の壁部および前記第２の壁部のそれぞれの封止されていない部分によって少なくとも部分的に境界を規定され、前記排気口は、前記底縁部に隣接して開き、前記複数のシールは、第１から第４のシールを備え、前記複数のチャネルは、第１から第４のチャネルを備え、前記第１のチャネルは、前記第１のシールと前記第１の側部シールの一部分によって規定され、前記第２のチャネルは、前記第１のシールと前記第２のシールによって規定され、前記第３のチャネルは、前記第３のシールと前記第２の側部シールの一部分によって規定され、前記第４のチャネルは、前記第３のシールと前記第４のシールによって規定される、再密閉可能な袋。
【請求項７】
前記チャネルが直線ではない、請求項５に記載の再密閉可能な袋。
【請求項８】
前記チャネルの各々が、ジグザグ形状または波形状を有する、請求項６に記載の再密閉可能な袋。
【請求項９】
前記シールが、円形、卵形または楕円形の形状である、請求項５に記載の再密閉可能な袋。
【請求項１０】
前記シールが英数字の形状である、請求項５に記載の再密閉可能な袋。
【請求項１１】
長手方向に沿って等間隔に離間した複数の横方向シールによって接続された再密閉可能な一繋がりの袋のプレカーサを備える再密閉可能な袋であって、各袋のプレカーサが、ストレージチャンバーおよび前記ストレージチャンバーと連通する受容口を有するそれぞれの受容部と、前記受容口を閉じるための気密性封止部とを備え、前記ストレージチャンバーが、前記横方向シールのそれぞれの対の間に設けられ、各受容部が、熱可塑性材料の第１のウェブおよび第２のウェブのそれぞれの対向するセクションと、横方向シールのそれぞれの対の間に延びる通気孔とを備え、各袋のプレカーサの前記通気孔が、ウェブ材料の間の介在層なしに第１壁部および第２壁部の向かい合った部分が互いに封止される複数のシールと、前記底縁部に隣接する前記受容部の底部部分にわたって設けられる多数の圧潰可能なチャネルの形成と、を備え、各チャネルが、前記ストレージチャンバーと流体連通するそれぞれの吸気口と、前記袋のプレカーサの外部の空間と流体連通するそれぞれの排気口とを有し、前記排気口は、前記底縁部に隣接して開き、前記複数のシールは、第１から第４のシールを備え、前記複数のチャネルは、第１から第４のチャネルを備え、前記第１のチャネルは、前記第１のシールと前記横方向シールのそれぞれの対の１つの部分によって規定され、前記第２のチャネルは、前記第１のシールと前記第２のシールによって規定され、前記第３のチャネルは、前記第３のシールと前記横方向シールのそれぞれの対の１つの部分によって規定され、前記第４のチャネルは、前記第３のシールと前記第４のシールによって規定される、再密閉可能な袋。
【請求項１２】
前記排気口が、前記第１のウェブおよび前記第２のウェブの前記底縁部と隣接している、請求項１１に記載の再密閉可能な袋。
【請求項１３】
前記チャネルが、前記第１の壁部および前記第２の壁部の向かい合った部分が１つに封止された領域によって境界を規定される、請求項１１に記載の再密閉可能な袋。
【請求項１４】
各通気孔が、前記第１のウェブおよび前記第２のウェブのそれぞれの封止されていない部分によって少なくとも部分的に境界を規定される、請求項１１に記載の再密閉可能な袋。
【請求項１５】
複数のシールは、前記第３のシールと前記第４のシールとの間に設けられた第５のシールと第６のシールとを備え、複数のチャネルは、前記第５のシールと前記第６のシールによって規定される第５チャネルを備える、請求項１に記載の再密閉可能な袋。
【請求項１６】
複数のシールは、前記第３のシールと前記第４のシールとの間に設けられた第５のシールと第６のシールとを備え、複数のチャネルは、前記第５のシールと前記第６のシールによって規定される第５チャネルを備える、請求項６に記載の再密閉可能な袋。
【請求項１７】
複数のシールは、前記第３のシールと前記第４のシールとの間に設けられた第５のシールと第６のシールとを備え、複数のチャネルは、前記第５のシールと前記第６のシールによって規定される第５チャネルを備える、請求項１１に記載の再密閉可能な袋。
【請求項１８】
前記ストレージチャンバーは、ストレージチャンバーと吸気口との間の第１壁部および第２の壁部に封止されることなく、前記ストレージチャンバーの全幅にわたって延びて前記吸気口と直接に流体連通する、請求項１に記載の再密閉可能な袋。
【請求項１９】
前記ストレージチャンバーは、ストレージチャンバーと吸気口との間の第１壁部および第２の壁部に封止されることなく、前記ストレージチャンバーの全幅にわたって延びて前記吸気口と直接に流体連通する、請求項６に記載の再密閉可能な袋。
【請求項２０】
前記ストレージチャンバーは、ストレージチャンバーと吸気口との間の第１壁部および第２の壁部に封止されることなく、前記ストレージチャンバーの全幅にわたって延びて前記吸気口と直接に流体連通する、請求項１１に記載の再密閉可能な袋。